【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
デバイスであって、
脂質源を含有するように構成される容器と、
前記容器の出口に流動的に接続されるチャンバと、
不動化されたリパーゼであって、前記不動化されたリパーゼは、前記チャンバ内に含有され、前記チャンバ内の流路内に位置付けられ、前記容器から前記チャンバの中に解放されると、前記流路に沿って脂質が流動する、不動化されたリパーゼと、
出口であって、前記チャンバを通して通過後、前記出口を通して前記脂質が流動する、出口と
を備える、デバイス。
【請求項２】
前記容器は、前記出口を除きシールされる、請求項１に記載のデバイス。
【請求項３】
前記容器は、前記チャンバに除去可能に結合される、請求項１に記載のデバイス。
【請求項４】
前記容器は、圧縮性である、請求項１に記載のデバイス。
【請求項５】
前記出口に流動的に結合されるコネクタをさらに備え、前記コネクタは、
流体の流動を受容するための第１の開口部と、
前記流体の流動を出力するための第２の開口部と、
前記コネクタを通して前記第１の開口部から前記第２の開口部まで延在するコネクタ流路と
を含む、請求項１に記載のデバイス。
【請求項６】
前記コネクタと前記出口との間に位置するインターフェースをさらに備え、前記インターフェースを通して、前記脂質が、前記出口から前記コネクタの中に流動する、請求項５に記載のデバイス。
【請求項７】
前記インターフェースは、前記コネクタに除去可能に接続される、請求項６に記載のデバイス。
【請求項８】
前記容器内に含有される脂質源をさらに備える、請求項１に記載のデバイス。
【請求項９】
前記脂質は、２つ以上の異なるタイプの脂質を含む、請求項８に記載のデバイス。
【請求項１０】
デバイスであって、
容器と、
前記容器内に含有される脂質源と、
前記容器内の開口部に結合されるチャンバと、
前記チャンバに結合される出力アセンブリと、
前記容器内の開口部から、前記チャンバを通して、および前記出力アセンブリを通して延在する流路であって、前記容器から解放されると、前記流路に沿って脂質が前記デバイスを通して流動する、流路と、
前記チャンバ内に含有され、前記流路内に位置する不動化されたリパーゼであって、前記リパーゼは、前記脂質が前記チャンバを通して流動するにつれて、前記脂質を加水分解するように構成される、リパーゼと
を備える、デバイス。
【請求項１１】
前記容器は、１つのみの開口部を含む、請求項１０に記載のデバイス。
【請求項１２】
前記容器は、圧縮性である、請求項１０に記載のデバイス。
【請求項１３】
前記出力アセンブリは、第１の端部と、第２の端部とを有し、前記第１の端部は、前記チャンバに結合され、前記第１の端部は、前記第２の端部の幅を上回る幅を有する、請求項１０に記載のデバイス。
【請求項１４】
前記出力アセンブリは、第１の端部と、第２の端部とを有し、前記第１の端部は、前記チャンバに結合され、前記第２の端部は、前記脂質が前記容器内に含有されるときにシールによって被覆され、前記脂質が前記流路に沿って流動するときに前記シールによって被覆されない開口部を有する、請求項１０に記載のデバイス。
【請求項１５】
前記脂質は、２つ以上の異なるタイプの脂質を含む、請求項１０に記載のデバイス。
【請求項１６】
栄養調合物に加水分解された脂質を補給するためのシステムであって、前記システムは、
デバイスを備え、
前記デバイスは、前記デバイス内に貯蔵される脂質源と、チャンバとを備え、前記チャンバは、前記脂質の前記チャンバ内のリパーゼへの暴露によって前記脂質を加水分解するための不動化されたリパーゼを含有し、前記デバイスは、前記脂質が、加水分解された脂質になるために前記チャンバを通して通過するように構成され、前記加水分解された脂質は、前記チャンバから出力され、
前記システムは、前記加水分解された脂質が前記栄養調合物に添加されるように構成される、システム。
【請求項１７】
前記栄養調合物は、前記加水分解された脂質が前記栄養調合物に添加されるにつれて、前記デバイスを越えて流動される、請求項１６に記載のシステム。
【請求項１８】
前記脂質源は、前記脂質が前記チャンバを通して通過することに先立って調製される、請求項１６に記載のシステム。
【請求項１９】
前記脂質源は、ともに少なくとも２つの異なるタイプの脂質の混合によって調製される、請求項１８に記載のシステム。
【請求項２０】
前記デバイスは、容器をさらに備え、前記脂質源は、前記チャンバを通して通過することに先立って、前記容器内に貯蔵され、前記容器は、前記脂質が前記チャンバを通して通過することに先立って、前記デバイスに取り付けられるように構成される、請求項１６に記載のシステム。
【請求項２１】
給送システムをさらに備え、前記デバイスは、前記脂質が前記チャンバを通して通過することに先立って、前記給送システムに取り付けられるように構成される、請求項１６に記載のシステム。
【請求項２２】
前記栄養調合物は、前記加水分解された脂質が前記栄養調合物に添加された後、対象に給送される、請求項２１に記載のシステム。
【請求項２３】
前記栄養調合物を含有するコンテナをさらに備え、前記加水分解された脂質は、前記加水分解された脂質を前記デバイスから前記コンテナの中に出力するによって前記栄養調合物に添加される、請求項１６に記載のシステム。
【手続補正２】
【補正対象書類名】明細書
【補正対象項目名】００１５
【補正方法】変更
【補正の内容】
【００１５】
前述の一般的説明および以下の詳細な説明は両方とも、例示的かつ説明的にすぎず、請求されるような特徴の制限ではない。本明細書で使用されるように、用語「ｃｏｍｐｒｉｓｅｓ（〜を備える）」、「ｃｏｍｐｒｉｓｉｎｇ（〜を備える）」、「ｉｎｃｌｕｄｅｓ（〜を含む）」、または他のその変形例は、要素のリストを備える、プロセス、方法、物品、または装置が、それらの要素のみを含むだけではなく、明示的に列挙されない、またはそのようなプロセス、方法、物品、または装置に固有の他の要素を含み得るように、非排他的含有を網羅するように意図される。加えて、用語「例示的」は、本明細書では、「理想的」ではなく、「実施例」の意味において使用される。本明細書で開示または請求される全ての数値（全ての開示される値、限界、および範囲を含む）は、開示される数値から＋／−１０％の変動を有し得る（異なる変動が規定されない限り）ことに留意されたい。さらに、請求項では、値、限界、および／または範囲は、＋／−１０％の値、限界、および／または範囲を意味する。
本願明細書は、例えば、以下の項目も提供する。
（項目１）
デバイスであって、
脂質源を含有するように構成される容器と、
前記容器の出口に流動的に接続されるチャンバと、
不動化されたリパーゼであって、前記不動化されたリパーゼは、前記チャンバ内に含有され、前記チャンバ内の流路内に位置付けられ、前記容器から前記チャンバの中に解放されると、前記流路に沿って脂質が流動する、不動化されたリパーゼと、
出口であって、前記チャンバを通して通過後、前記出口を通して前記脂質が流動する、出口と
を備える、デバイス。
（項目２）
前記容器は、前記出口を除きシールされる、項目１に記載のデバイス。
（項目３）
前記容器は、前記チャンバに除去可能に結合される、項目１に記載のデバイス。
（項目４）
前記容器は、圧縮性である、項目１に記載のデバイス。
（項目５）
前記出口に流動的に結合されるコネクタをさらに備え、前記コネクタは、
流体の流動を受容するための第１の開口部と、
前記流体の流動を出力するための第２の開口部と、
前記コネクタを通して前記第１の開口部から前記第２の開口部まで延在するコネクタ流路であって、前記コネクタ流路は、出力アセンブリに流動的に接続される、コネクタ流路と
を含む、項目１に記載のデバイス。
（項目６）
前記コネクタと前記出口との間に位置するインターフェースをさらに備え、前記インターフェースを通して、前記脂質が、前記出口から前記コネクタの中に流動する、項目５に記載のデバイス。
（項目７）
前記インターフェースは、前記コネクタに除去可能に接続される、項目６に記載のデバイス。
（項目８）
前記容器内に含有される脂質源をさらに備える、項目１に記載のデバイス。
（項目９）
前記脂質は、２つ以上の異なるタイプの脂質を含む、項目８に記載のデバイス。
（項目１０）
デバイスであって、
容器と、
前記容器内に含有される脂質源と、
前記容器内の開口部に結合されるチャンバと、
前記チャンバに結合される出力アセンブリと、
前記容器内の開口部から、前記チャンバを通して、および前記出力アセンブリを通して延在する流路であって、前記容器から解放されると、前記流路に沿って脂質が前記デバイスを通して流動する、流路と、
前記チャンバ内に含有され、前記流路内に位置する不動化されたリパーゼであって、前記リパーゼは、前記脂質が前記チャンバを通して流動するにつれて、前記脂質を加水分解するように構成される、リパーゼと
を備える、デバイス。
（項目１１）
前記容器は、１つのみの開口部を含む、項目１０に記載のデバイス。
（項目１２）
前記容器は、圧縮性である、項目１０に記載のデバイス。
（項目１３）
前記出力アセンブリは、第１の端部と、第２の端部とを有し、前記第１の端部は、前記チャンバに結合され、前記第１の端部は、前記第２の端部の幅を上回る幅を有する、項目１０に記載のデバイス。
（項目１４）
前記出力アセンブリは、第１の端部と、第２の端部とを有し、前記第１の端部は、前記チャンバに結合され、前記第２の端部は、前記脂質が前記容器内に含有されるときにシールによって被覆され、前記脂質が前記流路に沿って流動するときに前記シールによって被覆されない開口部を有する、項目１０に記載のデバイス。
（項目１５）
前記脂質は、２つ以上の異なるタイプの脂質を含む、項目１０に記載のデバイス。
（項目１６）
栄養調合物に加水分解された脂質を補給する方法であって、前記方法は、
前記脂質をチャンバ内のリパーゼに暴露させることによって前記脂質を加水分解するために、デバイス内に貯蔵される脂質源を、不動化されたリパーゼを含有する前記デバイスのチャンバを通して通過させることと、
前記加水分解された脂質を前記デバイスのチャンバから出力することと、
前記加水分解された脂質を前記栄養調合物に添加することと
を含む、方法。
（項目１７）
前記栄養調合物は、前記加水分解された脂質が前記栄養調合物に添加されるにつれて、前記デバイスを越えて流動される、項目１６に記載の方法。
（項目１８）
前記脂質を前記チャンバを通して通過させることに先立って、前記脂質源を調製することをさらに含む、項目１６に記載の方法。
（項目１９）
前記脂質源を調製することは、少なくとも２つの異なるタイプの脂質をともに混合することを含む、項目１８に記載の方法。
（項目２０）
前記脂質源は、前記チャンバを通して通過されることに先立って、前記デバイスの容器内に貯蔵され、前記方法はさらに、前記脂質源を前記チャンバを通して通過させることに先立って、前記容器を前記デバイスに取り付けることを含む、項目１６に記載の方法。
（項目２１）
前記脂質源を前記チャンバを通して通過させることに先立って、前記デバイスを給送システムに取り付けることをさらに含む、項目１６に記載の方法。
（項目２２）
前記加水分解された脂質が前記栄養調合物に添加された後、前記栄養調合物を対象に給送することをさらに含む、項目２１に記載の方法。
（項目２３）
前記加水分解された脂質を前記栄養調合物に添加することは、前記加水分解された脂質を前記デバイスから前記栄養調合物を含有する容器の中に出力することを含む、項目１６に記載の方法。